(57)【要約】  本発明は、人名情報及びターミナル情報を含むＵＥＤ情報を用いるカスタマイズされた放送サービス提供装置及び方法に関し、その目的は、個人情報及び端末情報に関する特性情報を記述する人名情報及びターミナル情報を定義し、ＵＥＤ情報に含むことにより、ＡＶ番組、パッケージ、及びパッケージを構成するそれぞれのコンポーネントをユーザの消費環境及び選好度に合わせて選択できるようにするターゲット機能を更に完成度高く提供できるＵＥＤ情報を用いるカスタマイズされた放送サービス提供装置及び方法を提供することにある。上記の目的を達成するための本発明は、ＡＶ番組及びパッケージを含む放送コンテンツをユーザ端末に提供するカスタマイズされた放送システムにおいて、ＡＶ番組、パッケージ、又はパッケージを構成するそれぞれのコンポーネントを消費環境及びユーザ選好度に合わせて選択できるようにするターゲット機能を支援するため、ＵＥＤ情報を用いるカスタマイズされた放送サービス提供装置であって、前記放送コンテンツ及び前記ＵＥＤ情報を含むメタデータをユーザ端末に公示して提供するコンテンツ提供手段と、前記ユーザ端末から受信した検索及び選択信号に相応するコンテンツ識別情報を提供するコンテンツ検索手段と、を備え、前記ＵＥＤ情報が、前記コンテンツの消費環境を記述する情報であって、ユーザの人名情報の特性を記述する人名情報と、端末の特性情報を記述するターミナル情報とを含む。
2008527836.tif 000002
【特許請求の範囲】
【請求項１】
ＡＶ番組及びパッケージを含む放送コンテンツをユーザ端末に提供するカスタマイズされた放送システムにおいて、ＡＶ番組、パッケージ、又はパッケージを構成するそれぞれのコンポーネントを消費環境及びユーザ選好度に合わせて選択できるようにするターゲット機能を支援するため、ＵＥＤ情報を用いるカスタマイズされた放送サービス提供装置であって、
前記放送コンテンツ及び前記ＵＥＤ情報を含むメタデータをユーザ端末に公示して提供するコンテンツ提供手段と、
前記ユーザ端末から受信した検索及び選択信号に相応するコンテンツ識別情報を提供するコンテンツ検索手段と
を備え、
前記ＵＥＤ情報が、前記コンテンツの消費環境を記述する情報であって、
ユーザの人名情報の特性を記述する人名情報と、
端末の特性情報を記述するターミナル情報と、
を含むことを特徴とするＵＥＤ情報を用いるカスタマイズされた放送サービス提供装置。
【請求項２】
前記コンテンツ提供手段が、
前記人名情報及びターミナル情報を用いてターゲット情報を生成してパッケージを構成するコンポーネントの消費に適切なユーザ環境及び選好度を明示したメタデータを生成するコンテンツ生成手段を備えることを特徴とする請求項１に記載のＵＥＤ情報を用いるカスタマイズされた放送サービス提供装置。
【請求項３】
前記コンテンツ生成手段が、ＡＶ番組に独立的なパッケージを提供する場合は、パッケージのみを生成し、ＡＶ番組に依存的なパッケージを提供する場合は、ＡＶ番組及びパッケージを生成することを特徴とする請求項２に記載のＵＥＤ情報を用いるカスタマイズされた放送サービス提供装置。
【請求項４】
前記コンテンツ検索手段が、ユーザがＡＶ番組又はパッケージを検索できるようにするため、電子番組ガイド（Ｅｌｅｃｔｒｏｎｉｃ  Ｐｒｏｇｒａｍ  Ｇｕｉｄｅ、以下、ＥＰＧとする）を用いて前記ＵＥＤ情報を含むメタデータを提供することを特徴とする請求項１に記載のＵＥＤ情報を用いるカスタマイズされた放送サービス提供装置。
【請求項５】
前記コンテンツ検索手段が、前記ユーザ端末が、前記ＥＰＧを用いてＡＶ番組又はパッケージの情報を把握し、前記ＵＥＤ情報を含むメタデータを用いてＡＶ番組又はパッケージの消費に適切なユーザ環境及び選好度情報とユーザ端末自体の環境及び選好度とを比較して、消費しようとするＡＶ番組又はパッケージを検索するようにすることを特徴とする請求項４に記載のＵＥＤ情報を用いるカスタマイズされた放送サービス提供装置。
【請求項６】
前記人名情報が、
ユーザの年齢を記述する年齢グループ情報と、
ユーザの家族構成員を記述する家族構成員情報と、
を含むことを特徴とする請求項１に記載のＵＥＤ情報を用いるカスタマイズされた放送サービス提供装置。
【請求項７】
前記年齢グループ情報及び家族構成員情報が、ＴＶＡのコントロールドタームタイプ（ＣｏｎｔｒｏｌｌｅｄＴｅｒｍＴｙｐｅ）であることを特徴とする請求項６に記載のＵＥＤ情報を用いるカスタマイズされた放送サービス提供装置。
【請求項８】
前記人名情報が、下記のようなＸＭＬ構文を含んで記述されることを特徴とする請求項７に記載のＵＥＤ情報を用いるカスタマイズされた放送サービス提供装置。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
【請求項９】
前記ターミナル情報が、ストレージユニットの特徴を記述するストレージ情報を含むことを特徴とする請求項１に記載のＵＥＤ情報を用いるカスタマイズされた放送サービス提供装置。
【請求項１０】
前記ストレージ情報が、下記のようなＸＭＬ構文で示すストレージタイプ（ＳｔｏｒａｇｅＴｙｐｅ）によって記述されることを特徴とする請求項９に記載のＵＥＤ情報を用いるカスタマイズされた放送サービス提供装置。
<complexType name="StorageType">
<sequence>
<element name="StorageCharacteristic" 
type="dia:StorageCharacteristicsType" 
minOccurs="0" maxOccurs="unbounded"/>
</sequence>
</complexType>
【請求項１１】
ＡＶ番組及びパッケージを含む放送コンテンツをユーザ端末に提供するカスタマイズされた放送システムにおいて、ＡＶ番組、パッケージ、又はパッケージを構成するそれぞれのコンポーネントを消費環境及びユーザ選好度に合わせて選択できるようにするターゲット機能を支援するため、ＵＥＤ情報を用いるカスタマイズされた放送サービス提供方法であって、
前記放送コンテンツ及び前記ＵＥＤ情報を含むメタデータを前記ユーザ端末に公示する公示ステップと、
前記ユーザ端末から受信した検索及び選択信号に相応するコンテンツ識別情報を提供するコンテンツ検索・選択ステップと、
前記コンテンツ識別情報を用いて放送コンテンツの物理的位置を決めて位置情報を提供する位置決定ステップと、
前記位置情報に基づいて放送コンテンツを提供するコンテンツ提供ステップと
を含み、
前記ＵＥＤ情報が、前記コンテンツの消費環境を記述する情報であって、
ユーザの人名情報の特性を記述する人名情報と、
端末の特性情報を記述するターミナル情報と、
を含むことを特徴とするＵＥＤ情報を用いるカスタマイズされた放送サービス提供方法。
【請求項１２】
前記人名情報及びターミナル情報を用いてターゲット情報を生成してパッケージを構成するコンポーネントの消費に適切なユーザ環境及び選好度を明示したメタデータを生成するコンテンツ生成ステップを更に含むことを特徴とする請求項１１に記載のＵＥＤ情報を用いるカスタマイズされた放送サービス提供方法。
【請求項１３】
前記人名情報が、
ユーザの年齢を記述する年齢グループ情報と、
ユーザの家族構成員を記述する家族構成員情報と、
を含むことを特徴とする請求項１１に記載のＵＥＤ情報を用いるカスタマイズされた放送サービス提供方法。
【請求項１４】
前記家族構成員情報が、ＴＶＡのコントロールドタームタイプ（ＣｏｎｔｒｏｌｌｅｄＴｅｒｍＴｙｐｅ）であることを特徴とする請求項１１に記載のＵＥＤ情報を用いるカスタマイズされた放送サービス提供方法。
【請求項１５】
前記人名情報が、下記のようなＸＭＬ構文を含んで記述されることを特徴とする請求項１１に記載のＵＥＤ情報を用いるカスタマイズされた放送サービス提供方法。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
【請求項１６】
前記ターミナル情報が、ストレージユニットの特徴を記述するストレージ情報を含むことを特徴とする請求項１１に記載のＵＥＤ情報を用いるカスタマイズされた放送サービス提供方法。
【請求項１７】
前記ストレージ情報が、下記のようなＸＭＬ構文で示すストレージタイプ（ＳｔｏｒａｇｅＴｙｐｅ）によって記述されることを特徴とする請求項１６に記載のＵＥＤ情報を用いるカスタマイズされた放送サービス提供方法。
<complexType name="StorageType">
<sequence>
<element name="StorageCharacteristic" 
type="dia:StorageCharacteristicsType" 
minOccurs="0" maxOccurs="unbounded"/>
</sequence>
</complexType>
【請求項１８】
ＡＶ番組及びパッケージを含む放送コンテンツを提供し、同期化機能及びターゲット機能を支援するカスタマイズされた放送サービスをＵＥＤ情報を用いて提供するカスタマイズされた放送サービス提供装置と、
該カスタマイズされた放送サービス提供装置から前記放送コンテンツ及びメタデータを受信して消費するユーザ端末と
を備え、
前記ＵＥＤ情報が、前記コンテンツの消費環境を記述する情報であって、
ユーザの人名情報の特性を記述する人名情報と、
端末の特性情報を記述するターミナル情報と、
を含むことを特徴とするＵＥＤ情報を用いるカスタマイズされた放送システム。
【請求項１９】
前記カスタマイズされた放送サービス提供装置が、
前記ＵＥＤ情報を含むメタデータをユーザ端末に公示して提供するコンテンツ提供手段と、
前記ユーザ端末から受信した検索及び選択信号に相応するコンテンツ識別情報を提供するコンテンツ検索手段と、
を含むことを特徴とする請求項１８に記載のＵＥＤ情報を用いるカスタマイズされた放送システム。
【請求項２０】
前記ユーザ端末が、
前記ＵＥＤ情報を含むメタデータを用いて放送コンテンツを検索及び選択して獲得し、ユーザ入力信号に相応してユーザ端末の構成要素を起動させるユーザ相互作用部と、
前記放送コンテンツ及びメタデータを格納して管理する格納装置管理部と、
ユーザが視聴できるように前記放送コンテンツ及びメタデータを表出するコンテンツ出力部と、
を備えることを特徴とする請求項１８に記載のＵＥＤ情報を用いるカスタマイズされた放送システム。
【請求項２１】
前記ユーザ端末が、前記パッケージを受信して、パッケージに属する個別コンポーネントのアトラクティブメタデータを把握し、それぞれのコンポーネントの消費に適切なユーザ環境及び選好度情報と自体の環境及び選好度とを前記ＵＥＤ情報を用いて比較し、消費しようとする全体又は部分コンポーネントを自動又は半自動的に選択することを特徴とする請求項１８に記載のＵＥＤ情報を用いるカスタマイズされた放送システム。
【請求項２２】
前記人名情報が、
ユーザの年齢を記述する年齢グループ情報と、
ユーザの家族構成員を記述する家族構成員情報と、
を含むことを特徴とする請求項１８に記載のＵＥＤ情報を用いるカスタマイズされた放送システム。
【請求項２３】
前記ターミナル情報が、ストレージユニットの特徴を記述するストレージ情報を含むことを特徴とする請求項１８に記載のＵＥＤ情報を用いるカスタマイズされた放送システム。
【請求項２４】
同期化機能及びターゲット機能を支援するカスタマイズされた放送サービスをカスタマイズされた放送サービス提供装置からユーザ端末装置に提供するカスタマイズされた放送システムにおいて、ＡＶ番組及びパッケージを含む放送コンテンツをＵＥＤ情報を用いて提供されるユーザ端末装置であって、
前記カスタマイズされた放送サービス提供装置から公示される前記ＵＥＤ情報を含むメタデータを用いて放送コンテンツを検索及び選択して獲得するユーザ相互作用部と、
前記獲得した放送コンテンツ及びメタデータを格納して管理する格納装置管理部と、
ユーザが視聴できるように前記放送コンテンツ及びメタデータを表出するコンテンツ出力部と、
を備え、
前記ＵＥＤ情報が、前記コンテンツの消費環境を記述する情報であって、
ユーザの人名情報の特性を記述する人名情報と、
端末の特性情報を記述するターミナル情報と、
を含むことを特徴とするユーザ端末装置。
【請求項２５】
前記ユーザ相互作用部が、前記パッケージに属する個別コンポーネントのアトラクティブメタデータを把握し、それぞれのコンポーネントの消費に適切なユーザ環境及び選好度情報と自体の環境及び選好度とを前記ＵＥＤ分類体系情報を用いて比較し、消費しようとする全体又は部分コンポーネントを自動又は半自動的に選択することを特徴とする請求項２４に記載のユーザ端末装置。
【請求項２６】
前記人名情報が、
ユーザの年齢を記述する年齢グループ情報と、
ユーザの家族構成員を記述する家族構成員情報と、
を含むことを特徴とする請求項２４に記載のユーザ端末装置。
【請求項２７】
前記ターミナル情報が、ストレージユニットの特徴を記述するストレージ情報を含むことを特徴とする請求項２４に記載のユーザ端末装置。
【請求項２８】
ＴＶＡ（ＴＶ−Ａｎｙｔｉｍｅ）放送サービスのためのＵＥＤ情報を含むメタデータ構造において、
前記ＵＥＤ情報が、
ユーザの人名情報の特性を記述する人名情報と、
ユーザ端末装置の特性情報を記述するターミナル情報と、
を含み、コンテンツの消費環境を記述する情報であることを特徴とするメタデータ構造。
【発明の詳細な説明】
【発明の詳細な説明】
【０００１】
［技術分野］
本発明は、使用環境記述（Ｕｓａｇｅ  Ｅｎｖｉｒｏｎｍｅｎｔ  Ｄｅｓｃｒｉｐｔｉｏｎ、以下、ＵＥＤとする）情報を用いるカスタマイズされた放送サービス提供装置及び方法に関し、さらに詳しくは、ＴＶＡ（ＴＶ−Ａｎｙｔｉｍｅ）システムのようなカスタマイズされた放送システムにおいて、ターゲット機能を提供するための人名情報及びターミナル情報を含むＵＥＤ情報を用いるカスタマイズされた放送サービス提供装置及び方法に関する。
【０００２】
［背景技術］
放送のデジタル化に伴い、マルチメディア、マルチチャンネルのみならず、これまでの単方向の放送受信から放送通信ネットワークの連動を介する様々な受信端末を受け入れなど、放送環境は、複雑な形へと急速に変化している。視聴者側では、制限されたチャンネル選択のみで放送番組を受信する受動的な視聴を逸脱し、放送サービスに直接参加、又は所望の時間に所望の番組を受信、視聴しようとする要求が広まっている。
【０００３】
このような変化は、放送環境が、より複雑、多様、及び個人化した形に進化していると要約できる。カスタマイズされた放送は、このような複雑様々な新しい放送環境で視聴者がより便利で効率的に所望の放送コンテンツを所望の時間に様々な端末で視聴者の嗜好に合わせて所望の形で消費できるようにする。すなわち、カスタマイズされた放送は、ユーザの嗜好、端末性能、ネットワーク特性、及び自然環境（時間、場所、及びユーザの気分状態等）などを含む使用環境に適したカスタマイズされた放送コンテンツを提供しようとするものである。
【０００４】
このようなカスタマイズされた放送について、その標準を定めるための団体として「ＴＶ−Ａｎｙｔｉｍｅ」フォーラムがある。「ＴＶ−Ａｎｙｔｉｍｅ」フォーラムは、ＰＤＲ（Ｐｅｒｓｏｎａｌ  Ｄｉｇｉｔａｌ  Ｒｅｃｏｄｅｒ）を備えたユーザ環境におけるオーディオビジュアルに関するサービスの提供のための標準開発を目的として１９９９年９月に設立された民間標準機構である。
【０００５】
前記「ＴＶ−Ａｎｙｔｉｍｅ」フォーラムにおけるカスタマイズ放送についての標準は、仮定しているシステム環境及び提供しようとする主な機能的側面において、Ｐｈａｓｅ１（ＴＶＡ−１）とＰｈａｓｅ２（ＴＶＡ−２）との２段階に分けられる。
【０００６】
ＴＶＡ−１は、メインの放送番組が、単方向の放送チャンネルで伝送され、双方向ネットワークを介して追加メタデータの獲得ができる環境で、ＰＤＲ（Ｐｅｒｓｏｎａｌ  Ｄｉｇｉｔａｌ  Ｒｅｃｏｄｅｒ）を中心としてＡＶ（Ａｕｄｉｏ／Ｖｉｄｅｏ）コンテンツの探索・選択・獲得・消費などのアプリケーションサービスを可能とするためのものである。
【０００７】
前記メタデータとは、番組のタイトル、ジャンル、概要などのコンテンツについての説明的データを意味し、通常、データに関するデータ（ｄａｔａ  ａｂｏｕｔ  ｄａｔａ）と定義される。
【０００８】
ＴＶＡ−２は、単方向の放送チャンネル及び双方向ネットワークを仮定したＴＶＡ−１の消費環境を拡張し、ホームネットワーク環境において、ＴＶＡ−１の主なサービス対象であったＡＶ番組のみならず、アプリケーション番組・広告・イメージ・テキストなどの様々な形のメディアコンポーネントを組み合わせて１つの選択単位として識別・獲得できるパッケージを提供する。
【０００９】
パッケージは、パッケージ及びコンポーネントについての情報を記述し、パッケージを構成するそれぞれのコンポーネントが消費環境及びユーザの選好度に合わせて選択できるようにするターゲット機能を提供し、時間的・空間的関係記述を介して正確な消費を可能とする同期化機能を提供する。
【００１０】
また、ＴＶＡシステムは、サービスするＡＶ番組、パッケージ、及びパッケージを構成するそれぞれのコンポーネントが消費環境及びユーザの選好度に合わせて選択できるようにするターゲット機能を提供する。
【００１１】
ここで、前記ターゲット機能を効率的に実現するためには、ユーザの個人情報及び端末情報に対するユーザ環境記述をより詳細、かつ、明確に定義して用いることが求められる。
【００１２】
［発明が解決しようとする課題］
本発明は、前記要求に応じるために提案されたものであって、その目的は、個人の人名情報及び端末情報に関する特性情報を記述する人名情報及びターミナル情報を定義し、ＵＥＤ情報に含むことにより、 ＡＶ番組、パッケージ、及びパッケージを構成するそれぞれのコンポーネントをユーザの消費環境及び選好度に合わせて選択できるようにするターゲット機能を更に完成度高く提供できるＵＥＤ情報を用いるカスタマイズされた放送サービス提供装置及び方法を提供することにある。
【００１３】
本発明の他の目的及び長所は、下記の説明によって理解することができ、本発明の実施例によって、更に詳しく理解し得るはずである。また、本発明の目的及び長所は、特許請求の範囲に示す手段及びその組み合わせによって実現することが分かるであろう。
【００１４】
［課題を解決するための手段］
上記の目的を達成するための本発明は、ＡＶ番組及びパッケージを含む放送コンテンツをユーザ端末に提供するカスタマイズされた放送システムにおいて、ＡＶ番組、パッケージ、又はパッケージを構成するそれぞれのコンポーネントを消費環境及びユーザ選好度に合わせて選択できるようにするターゲット機能を支援するため、ＵＥＤ情報を用いるカスタマイズされた放送サービス提供装置であって、前記放送コンテンツ及び前記ＵＥＤ情報を含むメタデータをユーザ端末に公示して提供するコンテンツ提供手段と、前記ユーザ端末から受信した検索及び選択信号に相応するコンテンツ識別情報を提供するコンテンツ検索手段とを備え、前記ＵＥＤ情報が、前記コンテンツの消費環境を記述する情報であって、ユーザの人名情報の特性を記述する人名情報と、端末の特性情報を記述するターミナル情報とを含むことを特徴とする。
【００１５】
また、本発明は、ＡＶ番組及びパッケージを含む放送コンテンツをユーザ端末に提供するカスタマイズされた放送システムにおいて、ＡＶ番組、パッケージ、又はパッケージを構成するそれぞれのコンポーネントを消費環境及びユーザ選好度に合わせて選択できるようにするターゲット機能を支援するため、ＵＥＤ情報を用いるカスタマイズされた放送サービス提供方法であって、前記放送コンテンツ及び前記ＵＥＤ情報を含むメタデータを前記ユーザ端末に公示する公示ステップと、前記ユーザ端末から受信した検索及び選択信号に相応するコンテンツ識別情報を提供するコンテンツ検索・選択ステップと、前記コンテンツ識別情報を用いて放送コンテンツの物理的位置を決めて位置情報を提供する位置決定ステップと、前記位置情報に基づいて放送コンテンツを提供するコンテンツ提供ステップとを含み、前記ＵＥＤ情報が、前記コンテンツの消費環境を記述する情報であって、ユーザの人名情報の特性を記述する人名情報と、端末の特性情報を記述するターミナル情報とを含むことを特徴とする。
【００１６】
また、本発明は、ＡＶ番組及びパッケージを含む放送コンテンツを提供し、同期化機能及びターゲット機能を支援するカスタマイズされた放送サービスをＵＥＤ情報を用いて提供するカスタマイズされた放送サービス提供装置と、前記カスタマイズされた放送サービス提供装置から前記放送コンテンツ及びメタデータを受信して消費するユーザ端末とを備え、前記ＵＥＤ情報が、前記コンテンツの消費環境を記述する情報であって、ユーザの人名情報の特性を記述する人名情報と、端末の特性情報を記述するターミナル情報と
を含むことを特徴とする。
【００１７】
また、本発明は、同期化機能及びターゲット機能を支援するカスタマイズされた放送サービスをカスタマイズされた放送サービス提供装置からユーザ端末装置に提供するカスタマイズされた放送システムにおいて、ＡＶ番組及びパッケージを含む放送コンテンツをＵＥＤ情報を用いて提供されるユーザ端末装置であって、前記カスタマイズされた放送サービス提供装置から公示される前記ＵＥＤ情報を含むメタデータを用いて放送コンテンツを検索及び選択して獲得するユーザ相互作用部と、前記獲得した放送コンテンツ及びメタデータを格納して管理する格納装置管理部と、ユーザが視聴できるように前記放送コンテンツ及びメタデータを表出するコンテンツ出力部とを備え、前記ＵＥＤ情報が、前記コンテンツの消費環境を記述する情報であって、ユーザの人名情報の特性を記述する人名情報と、端末の特性情報を記述するターミナル情報とを含むことを特徴とする。
【００１８】
また、本発明は、ＴＶＡ（ＴＶ−Ａｎｙｔｉｍｅ）放送サービスのためのＵＥＤ情報を含むメタデータ構造において、前記ＵＥＤ情報が、ユーザの人名情報の特性を記述する人名情報と、ユーザ端末装置の特性情報を記述するターミナル情報とを含み、コンテンツの消費環境を記述する情報であることを特徴とする。
【００１９】
［発明の効果］
上記のような本発明は、ＴＶＡシステムのようなカスタマイズされた放送システムにおいて、個人情報及び端末情報の使用環境に関する記述性能の向上によって、カスタマイズされた放送システムがサービスするＡＶ番組、パッケージ、及びパッケージを構成するそれぞれのコンポーネントを様々な消費環境及びユーザ選好度に適応的に提供できる効果があり、更に完成度の高いターゲット機能を提供できる効果がある。
【００２０】
［発明の実施のための最良の形態］
上述した目的、特徴及び長所は、添付した図面に係る次の詳細な説明を介してさらに明確になり、それに応じて、本発明が属する技術分野において、通常の知識を有する者が、本発明の技術的思想を容易に実施できるものである。また、本発明を説明するにあたり、本発明に係る公知の技術に対する具体的な説明が不要に本発明の要旨を不明にする可能性があると判断される場合、その詳細な説明を省略することにする。以下、添付した図面を参照して本発明の好ましい一実施形態を詳しく説明することにする。
【００２１】
図１は、本発明に係るカスタマイズされた放送システムの全体構成図である。
【００２２】
同図に示すように、本発明に係るカスタマイズされた放送システムは、ＡＶ番組及びパッケージを含む放送コンテンツを提供し、同期化機能及びターゲット機能を支援するカスタマイズされた放送サービスを提供するカスタマイズされた放送サービス提供装置１０００と、カスタマイズされた放送サービス提供装置１０００からコンテンツ及びコンテンツに関するメタデータを用いたコンテンツ探索・選択・獲得・消費などのアプリケーションサービスを消費するユーザ端末２０００とが放送チャンネル及び／又は双方向ＩＰネットワークとして構成されたネットワークに接続して構成される。
【００２３】
図２は、本発明に係るカスタマイズされた放送システムの一実施例を示す詳細構成図である。
【００２４】
同図に示すように、カスタマイズされた放送サービス提供装置１０００は、コンテンツ生成部１００、コンテンツサービス提供部２００、コンテンツ検索・探索部３００、及び位置決定部４００を備え、ユーザ端末２０００は、ユーザ相互作用部６００、及び格納装置管理部５００を備え、コンテンツ出力部（図示せず）及び保護管理部（図示せず）を更に備えることができる。それぞれの構成要素の機能は次のとおりである。
【００２５】
コンテンツ生成部１００は、ＡＶ番組又はパッケージを生成する。スタジオ・エンターテイメント会社・ウェブデザイナー又はユーザ連動型コンテンツの製作者が、その役割を担当し得る。
【００２６】
コンテンツサービス提供部２００は、コンテンツとメタデータとの再構成、メタデータの挿入、及びコンテンツの伝送を行い、地上波・衛星・ケーブル放送社、又はウェブキャスター、及びポータル提供者などがその役割の担当となり得る。
【００２７】
コンテンツ検索・探索部３００は、視聴可能なコンテンツに関する電子番組ガイド（Ｅｌｅｃｔｒｏｎｉｃ  Ｐｒｏｇｒａｍ  Ｇｕｉｄｅ、以下、ＥＰＧとする。）に公示する放送メタデータに基づく。コンテンツ検索及び探索機能は、ユーザの選択により、又は端末の自動選択により選択されたコンテンツのコンテンツ識別子（ＣＲＩＤ）を返す。
【００２８】
位置決定部４００は、前記コンテンツ検索・探索部３００で獲得したコンテンツ識別子（ＣＲＩＤ）からチャンネル及び放送時間を含むコンテンツの物理的な位置を決める。
【００２９】
格納装置管理部５００は、放送コンテンツ及びメタデータを格納して管理する。メタデータの場合、ＸＭＬ（Ｅｘｔｅｎｓｉｂｌｅ  Ｍａｒｋｕｐ  Ｌａｎｇｕａｇｅ）データベース又は関係型データベース（ｒｅｌａｔｉｏｎａｌ  ＤＢ）で管理できる。ユーザとサービス提供者との間の双方向メタデータ接続機能は、ユーザからのユーザ履歴情報やユーザ選好度情報の提供に該当する。
【００３０】
ユーザ相互作用部６００は、ユーザ端末の入力装置（キーボード、リモコン、マウス、及びジョイスティックなど）から入力されるユーザ入力信号にしたがって構成要素を起動させる。
【００３１】
コンテンツ出力部（図示せず）は、ユーザが視聴できるようにユーザ端末に放送コンテンツ及びメタデータを提供する。
【００３２】
保護管理部（図示せず）は、前記それぞれの構成要素間のインターフェースを適切な保護管理政策によって保護する（ＥＴＳＩ  ＴＳ  １０２  ８２２−５−１／２、及びＥＴＳＩ  ＴＳ  １０２  ８２２−７“Ｂｉｍｅｔａｄａｔａ  ｄｅｌｉｖｅｒｙ  ｐｒｏｔｅｃｔｉｏｎ”文書参照）。
【００３３】
上述の前記実施例は、完全なる双方向放送環境におけるカスタマイズされた放送システムの構成の一例である。
【００３４】
カスタマイズされた放送システムの実現方法は、サービス環境によって大きく２種類に分けられる。純粋な単方向放送環境や狭帯域双方向チャンネルを有する放送環境では、前記カスタマイズされた放送システムの構成のうち、コンテンツ生成部、コンテンツサービス提供部のみがユーザ端末の外部に存在し、これらを除いた全ての構成は、ユーザ端末でユーザの求めるコンテンツを検索・選択・位置決定・獲得過程を介して消費できるようにする。
【００３５】
一方、前記実施例のように、完全なる双方向放送環境では、カスタマイズされた放送システムの構成のうち、コンテンツ生成部及びコンテンツサービス提供部のみならず、コンテンツ検索・探索部や位置決定部もユーザ端末の外部に存在することができる。したがって、ユーザ端末は、ユーザ相互作用部、コンテンツ出力部、及び格納装置管理部のみを有し、コンテンツサービス提供部又はコンテンツ検索・探索部との双方向接続を介してユーザの求めるコンテンツを検索・選択・位置決定・獲得過程を介して消費できるようにする。
【００３６】
図３は、本発明に係るＵＥＤ分類体系情報を用いるカスタマイズされた放送サービスの提供過程についての一実施例を示すフローチャートである。
【００３７】
本発明に係るカスタマイズされた放送サービスの提供過程は、基本的に、公示（Ｐｕｂｌｉｓｈ）、検索（Ｓｅａｒｃｈ）、選択（Ｓｅｌｅｃｔ）、位置の決定（Ｌｏｃａｔｅ）、獲得（Ａｃｑｕｉｒｅ）、視聴（Ｖｉｅｗ）、及び終了（Ｆｉｎｉｓｈ）で構成される。
【００３８】
サービスするコンテンツ（ＡＶ番組又はパッケージ）に応じて、また、サービスするパッケージがＡＶ番組に独立的か依存的かに応じて、ＡＶ番組を提供する場合、パッケージがＡＶ番組に独立的な場合及びパッケージがＡＶ番組に依存的な場合の３種類の動作シナリオを有する。
【００３９】
［公示（Ｐｕｂｌｉｃａｔｉｏｎ）］
ＡＶ番組の提供の場合、コンテンツ生成部１００は、ＡＶ番組を生成する。コンテンツサービス提供部２００は、ＡＶ番組を識別するＣＲＩＤ（Ｃｏｎｔｅｎｔ  Ｒｅｆｅｒｅｎｃｅ  ＩＤｅｎｔｉｆｉｅｒ）、ＡＶ番組のアトラクティブメタデータ、スケジュール情報、及び位置決定データを公示する。
【００４０】
ここで、ＡＶ番組のアトラクティブメタデータ及びスケジュール情報は、ＴＶＡ−１メタデータスキーマの番組情報（ＰｒｏｇｒａｍＩｎｆｏｒｍａｔｉｏｎ）及び番組位置（ＰｒｏｇｒａｍＬｏｃａｔｉｏｎ）として記述する。
【００４１】
また、コンテンツサービス提供部２００は、番組情報の下位要素「ＴａｒｇｅｔｉｎｇＩｎｆｏｒｍａｔｉｏｎ」で、本発明の人名情報及びターミナル情報を用いてＡＶ番組の消費に適切なユーザ環境及び選好度を明示することによって、ユーザが、本人の環境及び選好度に合ったＡＶ番組を選択できるようにする。
【００４２】
提供しようとするパッケージがＡＶ番組に対して独立的な場合は、コンテンツ生成部１００は、パッケージのみを生成する。パッケージは、ＴＶＡ−２パッケージスキーマによって記述され、コンテンツ記述子（ＣｏｎｔｅｎｔＤｉｓｃｒｉｐｔｉｏｎ）要素の下位要素「ＴａｒｇｅｔｉｎｇＩｎｆｏｒｍａｔｉｏｎ」で、ユーザの人名情報の特性を記述するための人名情報、及び端末の特性情報を記述するためのターミナル情報を用いてパッケージを構成するそれぞれのコンポーネントの消費に適切なユーザ環境及び選好度を明示することによって、ユーザが、本人の環境及び選好度に合ったコンポーネントを選択できるようにする。
【００４３】
コンテンツサービス提供部２００は、パッケージを識別するＣＲＩＤ（Ｃｏｎｔｅｎｔ  Ｒｅｆｅｒｅｎｃｅ  ＩＤｅｎｔｉｆｉｅｒ）、パッケージの消費を誘導するパッケージアトラクティブメタデータ、及びパッケージの概略スケジュール情報を公示する。また、パッケージが、いつ、どこで獲得できるかを記述する位置決定（ｌｏｃａｔｉｏｎ  ｒｅｓｏｌｕｔｉｏｎ）データを公示する。上述のように、パッケージのアトラクティブメタデータ及びスケジュール情報は、通常のＡＶ番組のようにＴＶＡ−１メタデータスキーマの番組情報及び番組位置として記述する。また、コンテンツサービス提供部２００は、番組情報の下位要素「ＴａｒｇｅｔｉｎｇＩｎｆｏｒｍａｔｉｏｎ」で、本発明の人名情報及びターミナル情報を用いてパッケージの消費に適切なユーザ環境及び選好度を明示することによってユーザが本人の環境及び選好度に合ったパッケージを選択できるようにする。
【００４４】
一方、提供しようとするパッケージがＡＶ番組に依存的であれば、コンテンツ生成部１００は、ＡＶ番組及びＡＶ番組に依存的なパッケージを生成する。コンテンツサービス提供部２００は、ＡＶ番組を識別するＣＲＩＤ（Ｃｏｎｔｅｎｔ  Ｒｅｆｅｒｅｎｃｅ  ＩＤｅｎｔｉｆｉｅｒ）、ＡＶ番組のアトラクティブメタデータ、スケジュール情報、位置決定情報、及びＡＶ番組に接続されているパッケージのリンク情報を公示する。ここで、ＡＶ番組のアトラクティブメタデータ及びスケジュール情報は、前述のように、ＴＶＡ−１メタデータのスキーマの番組情報及び番組位置として記述し、ＡＶ番組に接続されているパッケージのリンク情報は、ＡＶ番組の番組情報「ＲｅｌａｔｅｄＭａｔｅｒｉａｌ」要素として記述する。また、コンテンツサービス提供部２００は、番組情報の下位要素「ＴａｒｇｅｔｉｎｇＩｎｆｏｒｍａｔｉｏｎ」で本発明の人名情報及びターミナル情報を用いてＡＶ番組の消費に適切なユーザ環境及び選好度を明示することによって、ユーザが本人の環境及び選好度に合ったＡＶ番組を選択できるようにする。同種又は異種のコンテンツサービス提供部２００は、パッケージを識別するＣＲＩＤ（Ｃｏｎｔｅｎｔ  Ｒｅｆｅｒｅｎｃｅ  ＩＤｅｎｔｉｆｉｅｒ）及びパッケージが、いつ、どこで獲得できるかを記述する位置決定データを公示する。
【００４５】
［検索（Ｓｅａｃｈ）］
ＡＶ番組の提供の場合、コンテンツ検索・探索部３００は、ＥＰＧを介してＡＶ番組のアトラクティブメタデータ及びスケジュール情報をユーザに提供する。また、ＥＰＧは、前記「ＴａｒｇｅｔｉｎｇＩｎｆｏｒｍａｔｉｏｎ」で本発明の人名情報及びターミナル情報を用いて記述したＡＶ番組の消費に適切なユーザ環境及び選好度情報を提供する。
【００４６】
ユーザは、ＥＰＧの提供するＡＶ番組のタイトル、あらすじ、及び俳優などのＡＶ番組のアトラクティブメタデータを把握し、ＡＶ番組の消費に適切なユーザ環境及び選好度の情報と本人の環境及び選好度とを比較して消費しようとするＡＶ番組をコンテンツ検索・探索部３００を介して検索する。
【００４７】
提供するパッケージがＡＶ番組に対して独立的であれば、ＥＰＧは、パッケージアトラクティブメタデータ及びパッケージスケジュール情報をユーザに提供する。また、ＥＰＧは、前記「ＴａｒｇｅｔｉｎｇＩｎｆｏｒｍａｔｉｏｎ」で本発明の人名情報及びターミナル情報を用いて記述したパッケージの消費に適切なユーザ環境及び選好度情報を提供する。
【００４８】
ユーザは、ＥＰＧの提供するパッケージタイトル、あらすじ、及び俳優などのパッケージアトラクティブメタデータを把握し、パッケージの消費に適切なユーザ環境及び選好度情報と本人の環境及び選好度とを比較しながら消費しようとするパッケージを検索する。
【００４９】
提供するパッケージがＡＶ番組に依存的であれば、ＥＰＧは、ＡＶ番組のアトラクティブメタデータ及びスケジュール情報と共にＡＶ番組に接続されているパッケージのリンク情報を提供する。また、ＥＰＧは、前記「ＴａｒｇｅｔｉｎｇＩｎｆｏｒｍａｔｉｏｎ」で本発明の人名情報及びターミナル情報を用いて記述したＡＶ番組の消費に適切なユーザ環境及び選好度情報を提供する。
【００５０】
ユーザは、ＥＰＧの提供するＡＶ番組のタイトル、あらすじ、及び俳優などのＡＶ番組のアトラクティブメタデータを把握し、ＡＶ番組の消費に適切なユーザ環境及び選好度情報と本人の環境及び選好度とを比較しながら消費しようとするＡＶ番組を検索する。
【００５１】
ユーザは、ＥＰＧを介してＡＶ番組を検索したり番組視聴の際、ＡＶ番組に接続されたパッケージに関する情報を得る。
【００５２】
［選択（Ｓｅｌｅｃｔｉｏｎ）］
ＡＶ番組の場合、ユーザは、ＥＰＧでユーザが嗜好するＡＶ番組の選択の際、コンテンツ検索・探索部３００からＡＶ番組のＣＲＩＤを獲得する。
【００５３】
提供するパッケージがＡＶ番組に独立的であれば、ユーザは、ＥＰＧでユーザが嗜好するパッケージの選択の際、パッケージのＣＲＩＤを獲得する。
【００５４】
提供するパッケージがＡＶ番組に依存的であれば、ユーザは、ＥＰＧでユーザが嗜好するＡＶ番組の選択の際、ＡＶ番組の番組情報の「ＲｅｌａｔｅｄＭａｔｅｒｉａｌ」要素からＡＶ番組に接続されたパッケージのＣＲＩＤを獲得する。
【００５５】
［位置の決定（Ｌｏｃａｔｅ）］
ＡＶプログラム及びパッケージは、全てＣＲＩＤから位置決定メカニズムを介して位置決定部４００から実際のＡＶ番組及びパッケージが提供される物理的な位置の情報を得る。格納装置管理部５００は、録画時、衝突を防ぐため、複数のコンテンツ位置（チャンネル＋時間情報）のうち、任意の位置を選択する。
【００５６】
［獲得（Ａｃｑｕｉｒｅ）］
選択した位置情報（チャンネル＋時間情報）でＡＶ番組又はパッケージを獲得する。
【００５７】
パッケージを獲得した場合、ユーザは、パッケージに属する個別コンポーネントのアトラクティブメタデータを把握し、コンテンツ記述子（ＣｏｎｔｅｎｔＤｉｓｃｒｉｐｔｉｏｎ）要素の下位要素「ＴａｒｇｅｔｉｎｇＩｎｆｏｒｍａｔｉｏｎ」で、本発明の人名情報及びターミナル情報を含むＵＥＤ情報を用いて記述したそれぞれのコンポーネントの消費に適切なユーザ環境及び選好度の情報と本人の環境及び選好度とを比較して消費しようとする全体又は部分コンポーネントを自動又は半自動的に選択する。
【００５８】
コンポーネントを選択すると、それぞれのコンポーネントのＣＲＩＤから位置決定メカニズムを介して位置決定部４００から実際のコンポーネントを提供する物理的な位置情報を得て、当該位置からコンポーネントを獲得する。
【００５９】
［視聴（Ｖｉｅｗ）］
ＡＶ番組であれば、ユーザ画面に出力してユーザの視聴ができるようにし、パッケージであれば、ユーザが選んだ全てのコンポーネントを獲得した後、コンポーネント間の空間的及び時間的な関係情報を用いて画面を構成し、ユーザに提供することによって、ユーザが視聴できるようにする。
【００６０】
[終了（Ｆｉｎｉｓｈｉｎｇ）］
ユーザのＡＶ番組及びパッケージの視聴履歴情報は、端末に格納され、ユーザの選好度の抽出に活用される。
【００６１】
以下、本発明に係るＵＥＤ情報の人名情報及びターミナル情報について詳しく述べる。
【００６２】
前記人名情報（ＢｉｏＧｒａｐｈｉｃＩｎｆｏｒｍａｔｉｏｎ）は、エイジグループ（ＡｇｅＧｒｏｕｐ）を具体化（ｉｎｃｏｒｐｏｒａｔｅ）する。前記エイジグループ（ＡｇｅＧｒｏｕｐ）は、年齢集団を予め定義できないため、ＴＶＡのコントロールドタームタイプ（ＣｏｎｔｒｏｌｌｅｄＴｅｒｍＴｙｐｅ）によって定義される。その他の家族構成員（ＯｔｈｅｒＦａｍｉｌｙＭｅｍｂｅｒ）もコントロールドタームタイプ（ＣｏｎｔｒｏｌｌｅｄＴｅｒｍＴｙｐｅ）によって定義される。前記エイジグループは、ユーザ年齢を一定の範囲内に記述する用語であり、その他の家族構成員は、ユーザの家族構成員を記述する用語である。
【００６３】
本発明に係る前記人名情報（ＢｉｏＧｒａｐｈｉｃＩｎｆｏｒｍａｔｉｏｎ）のＸＭＬ構文（Ｓｙｎｔａｘ）は、下記のとおりである。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
<simpleType>
<restriction base="NMTOKEN">
<enumeration value="Male"/>
<enumeration value="Female"/>
</restriction>
</simpleType>
</element>
</sequence>
</complexType>
【００６４】
一方、本発明に係るＵＥＤ情報のターミナル情報は、ストレージタイプ情報を含む。
【００６５】
前記ストレージタイプ（ＳｔｏｒａｇｅＴｙｐｅ）は、単一ストレージユニットの特徴を記述するためのものであって、ストレージに関する記述は、ＭＰＥＧ−２１  ＤＩＡを用いることができる。
【００６６】
前記ストレージタイプ（ＳｔｏｒａｇｅＴｙｐｅ）のＸＭＬ構文（Ｓｙｎｔａｘ）は、下記のとおりである。
<!-- ################################################ -->
<!--  Definition of Storage                                                        -->
<!-- ################################################ -->
<complexType name="StorageType">
<sequence>
<element name="StorageCharacteristic" 
type="dia:StorageCharacteristicsType" 
minOccurs="0" maxOccurs="unbounded"/>
</sequence>
</complexType>
【００６７】
前記ストレージタイプ（ＳｔｏｒａｇｅＴｙｐｅ）の意味論（Ｓｅｍａｎｔｉｃｓ）は、下記の表１のとおりである。
【表１】
2008527836.tif 000003
【００６８】
前記ストレージ特徴タイプ（ＳｔｏｒａｇｅＣｈａｒａｃｔｅｒｉｓｔｉｃｓＴｙｐｅ）のＸＭＬ構文（Ｓｙｎｔａｘ）は、下記のとおりである。
<!-- ################################################ -->
<!--  Definition of StorageCharacteristics            -->
<!-- ################################################ -->
<complexType name="StorageCharacteristicsType">
<attribute name="inputTransferRate" type="nonNegativeInteger"             use="optional"/>
<attribute name="outputTransferRate" type="nonNegativeInteger" 
use="optional"/>
<attribute name="size" type="float" use="optional"/>
<attribute name="writable" type="boolean" use="optional"/>
</complexType>
【００６９】
前記ストレージ特徴タイプ（ＳｔｏｒａｇｅＣｈａｒａｃｔｅｒｉｓｔｉｃｓＴｙｐｅ）で用いた用語の意味論（Ｓｅｍａｎｔｉｃｓ）は、下記の表２のとおりである。
【表２】
2008527836.tif 000004
【００７０】
前記ストレージタイプ（ＳｔｏｒａｇｅＴｙｐｅ）を具体化（ｉｎｃｏｒｐｏｒａｔｅ）して用いるターミナル情報タイプ（ＴｅｒｍｉｎａｌＩｎｆｏｒｍａｔｉｏｎＴｙｐｅ）のＸＭＬ構文は、下記のとおりである。ターミナル情報タイプ（ＴｅｒｍｉｎａｌＩｎｆｏｒｍａｔｉｏｎＴｙｐｅ）では、複数のストレージタイプ（ＳｔｏｒａｇｅＴｙｐｅ）を用いて単一ターミナルでマルチストレージ装置を記述する。
<complexType name="TerminalInformationType">
<sequence>
<element name="DecoderInformation" type="mpeg21:CodecCapabilityBaseType" 
minOccurs="0" maxOccurs="unbounded"/>
<element name="EncoderInformation" type="mpeg21:CodecCapabilityBaseType" 
minOccurs="0" maxOccurs="unbounded"/>
<element name="DisplayInformation" type="mpeg21:DisplayType" minOccurs="0" 
maxOccurs="unbounded"/>
<element name="AudioInformation" type="mpeg21:AudioOutputType" minOccurs="0" 
maxOccurs="unbounded"/>
<element name="InteractionInputInformation" type="mpeg21:UserInteractionInputType" 
minOccurs="0" maxOccurs="unbounded"/>
<element name="StorageInformation" type="mpeg21:StorageType" minOccurs="0" 
maxOccurs="unbounded"/>
<element name="SystemInformation" type="tva2:SystemInformationType" minOccurs="0"/>
<element name="HardwareManufacturer" type="tva2:HardwareManufacturerType" 
minOccurs="0"/>
<element name="TerminalType" type="tva:ControlledTermType" minOccurs="0"/>
</sequence>
<attribute name="terminalInformationId" type="tva:TVAIDType" use="optional" />
</complexType>
【００７１】
上述の本発明に係るＵＥＤ情報の人名情報及びターミナル情報の特徴を要約すると、前記人名情報（ＢｉｏＧｒａｐｈｉｃＩｎｆｏｒｍａｔｉｏｎ）は、コントロールドタームタイプ（ＣｏｎｔｒｏｌｌｅｄＴｅｒｍＴｙｐｅｓ）であって、エイジグループ（ＡｇｅＧｒｏｕｐ）、及びその他の家族構成員（ＯｔｈｅｒＦａｍｉｌｙＭｅｍｂｅｒ）を含み、ターミナル情報（ＴｅｒｍｉｎａｌＩｎｆｏｒｍａｔｉｏｎ）は、ストレージタイプ（ＳｔｏｒａｇｅｓＴｙｐｅ）を含んで記述される。
【００７２】
上述のように、本発明の方法は、プログラムとして実現され、コンピュータで読み出すことのできる形で記録媒体（ＣＤ−ＲＯＭ、ＲＡＭ、ＲＯＭ、フロッピーディスク、ハードディスク、及び光磁気ディスクなど）に格納され得る。このような過程は、本発明の属する技術分野における通常の知識を有する者が容易に実施することができるため、これ以上詳しく説明しない。
【００７３】
以上で説明した本発明は、本発明の属する技術分野における通常の知識を有する者にとって、本発明の技術的思想を逸脱しない範囲内で様々な置換、変形及び変更が可能なため、上述の実施形態及び添付された図面によって限定されるものではない。
【００７４】
[産業上の利用可能性]
本発明は、ＴＶＡ（ＴＶ−Ａｎｙｔｉｍｅ）システムなどに用いられる。
【図面の簡単な説明】
【００７５】
【図１】本発明に係るカスタマイズされた放送システムの一実施例を示す全体構成図である。
【図２】本発明に係るカスタマイズされた放送システムの一実施例を示す詳細構成図である。
【図３】本発明に係るＵＥＤ分類体系情報を用いるカスタマイズされた放送サービス提供過程についての一実施例を示すフローチャートである。
【図１】
2008527836.tif 000005
【図２】
2008527836.tif 000006
【図３】
2008527836.tif 000007
【手続補正書】
【提出日】平成20年2月4日(2008.2.4)
【手続補正２】
【補正対象書類名】特許請求の範囲
【補正対象項目名】全文
【補正方法】変更
【補正の内容】
【特許請求の範囲】
【請求項１】
パッケージを含む放送コンテンツが消費環境及びユーザ選好度に合わせて選択できるようにするターゲット情報を用いるカスタマイズされた放送サービス提供装置であって、
前記放送コンテンツ及び前記ターゲット情報を含むメタデータをユーザ端末に公示して提供するコンテンツ提供手段と、
前記ユーザ端末から受信した検索及び選択信号に相応するコンテンツ識別情報を提供するコンテンツ検索手段と
を備え、
前記ターゲット情報が、前記放送コンテンツの消費環境を記述する情報であって、
ユーザ情報を記述する人名情報と、
端末情報を記述するターミナル情報と、
を含むことを特徴とするカスタマイズされた放送サービス提供装置。
【請求項２】
前記コンテンツ提供手段が、
前記人名情報及びターミナル情報を用いて前記ターゲット情報を生成して前記パッケージを構成するコンポーネントの消費に適切なユーザ環境及び選好度を明示したメタデータを生成するコンテンツ生成手段を備えることを特徴とする請求項１に記載のカスタマイズされた放送サービス提供装置。
【請求項３】
前記コンテンツ生成手段が、
ＡＶ番組に独立的なパッケージを提供する場合は、パッケージのみを生成し、
ＡＶ番組に依存的なパッケージを提供する場合は、ＡＶ番組及びパッケージを生成することを特徴とする請求項２に記載のカスタマイズされた放送サービス提供装置。
【請求項４】
前記コンテンツ検索手段が、
ユーザが前記放送コンテンツを検索できるようにするため、電子番組ガイド（Ｅｌｅｃｔｒｏｎｉｃ  Ｐｒｏｇｒａｍ  Ｇｕｉｄｅ、以下、ＥＰＧとする）を用いて前記ターゲット情報を含むメタデータを提供することを特徴とする請求項１に記載のカスタマイズされた放送サービス提供装置。
【請求項５】
前記コンテンツ検索手段が、
前記ユーザ端末が、前記ＥＰＧを用いて前記放送コンテンツ情報を把握し、前記ターゲット情報を含むメタデータを用いて前記放送コンテンツの消費に適切なユーザ環境及び選好度情報と前記ユーザ端末自体の環境及び選好度とを比較して、消費しようとする放送コンテンツを検索することを特徴とする請求項４に記載のカスタマイズされた放送サービス提供装置。
【請求項６】
前記人名情報が、
ユーザの年齢を記述する年齢グループ情報と、
ユーザの家族構成員を記述する家族構成員情報と、
を含むことを特徴とする請求項１に記載のカスタマイズされた放送サービス提供装置。
【請求項７】
前記家族構成員情報が、
コントロールドタームタイプ（ＣｏｎｔｒｏｌｌｅｄＴｅｒｍＴｙｐｅ）によって記述されることを特徴とする請求項６に記載のカスタマイズされた放送サービス提供装置。
【請求項８】
前記人名情報が、下記のようなＸＭＬ構文を含んで記述されることを特徴とする請求項７に記載のカスタマイズされた放送サービス提供装置。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
【請求項９】
前記ターミナル情報が、ストレージユニットの特徴を記述するストレージ情報を含むことを特徴とする請求項１に記載のカスタマイズされた放送サービス提供装置。
【請求項１０】
前記ストレージ情報が、ストレージタイプ（ＳｔｏｒａｇｅＴｙｐｅ）によって記述されることを特徴とする請求項９に記載のカスタマイズされた放送サービス提供装置。
【請求項１１】
パッケージを含む放送コンテンツが消費環境及びユーザ選好度に合わせて選択できるようにするターゲット情報を用いるカスタマイズされた放送サービス提供方法であって、
前記放送コンテンツ及び前記ターゲット情報を含むメタデータをユーザ端末に公示する公示ステップと、
前記ユーザ端末から受信した検索及び選択信号に相応するコンテンツ識別情報を提供するコンテンツ検索・選択ステップと、
前記コンテンツ識別情報を用いて前記放送コンテンツの物理的位置を決めて位置情報を提供する位置決定ステップと、
前記位置情報に基づいて前記放送コンテンツを提供するコンテンツ提供ステップと
を含み、
前記ターゲット情報が、前記放送コンテンツの消費環境を記述する情報であって、
ユーザ情報を記述する人名情報と、
端末情報を記述するターミナル情報と、
を含むことを特徴とするカスタマイズされた放送サービス提供方法。
【請求項１２】
前記人名情報及びターミナル情報を用いて前記ターゲット情報を生成して前記パッケージを構成するコンポーネントの消費に適切なユーザ環境及び選好度を明示したメタデータを生成するコンテンツ生成ステップ
を更に含むことを特徴とする請求項１１に記載のカスタマイズされた放送サービス提供方法。
【請求項１３】
前記人名情報が、
ユーザの年齢を記述する年齢グループ情報と、
ユーザの家族構成員を記述する家族構成員情報と、
を含むことを特徴とする請求項１１に記載のカスタマイズされた放送サービス提供方法。
【請求項１４】
前記家族構成員情報が、コントロールドタームタイプ（ＣｏｎｔｒｏｌｌｅｄＴｅｒｍＴｙｐｅ）によって記述されることを特徴とする請求項１１に記載のカスタマイズされた放送サービス提供方法。
【請求項１５】
前記人名情報が、下記のようなＸＭＬ構文を含んで記述されることを特徴とする請求項１１に記載のカスタマイズされた放送サービス提供方法。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
【請求項１６】
前記ターミナル情報が、ストレージユニットの特徴を記述するストレージ情報を含むことを特徴とする請求項１１に記載のカスタマイズされた放送サービス提供方法。
【請求項１７】
前記ストレージ情報が、ストレージタイプ（ＳｔｏｒａｇｅＴｙｐｅ）によって記述されることを特徴とする請求項１６に記載のカスタマイズされた放送サービス提供方法。
【請求項１８】
ＡＶ番組及びパッケージを含む放送コンテンツが消費環境及びユーザ選好度に合わせて選択できるようにするターゲット情報を用いるユーザ端末装置であって、
前記ターゲット情報を含むメタデータを用いて前記放送コンテンツを検索及び選択して獲得するユーザ相互作用部と、
前記獲得した放送コンテンツ及びメタデータを格納して管理する格納装置管理部と、
ユーザが視聴できるように前記放送コンテンツ及びメタデータを表出するコンテンツ出力部と、
を備え、
前記ターゲット情報が、前記放送コンテンツの消費環境を記述する情報であって、
ユーザ情報を記述する人名情報と、
端末情報を記述するターミナル情報と、
を含むことを特徴とするユーザ端末装置。
【請求項１９】
前記ユーザ相互作用部が、前記パッケージに属する個別コンポーネントのアトラクティブメタデータを把握し、それぞれのコンポーネントの消費に適切なユーザ環境及び選好度情報と自体の環境及び選好度とを前記ターゲット情報を用いて比較し、消費しようとする全体又は部分コンポーネントを自動又は半自動的に選択することを特徴とする請求項１８に記載のユーザ端末装置。
【請求項２０】
前記人名情報が、
ユーザの年齢を記述する年齢グループ情報と、
ユーザの家族構成員を記述する家族構成員情報と、
を含むことを特徴とする請求項１８に記載のユーザ端末装置。
【請求項２１】
前記ターミナル情報が、ストレージユニットの特徴を記述するストレージ情報を含むことを特徴とする請求項１８に記載のユーザ端末装置。
【請求項２２】
パッケージを含む放送コンテンツが消費環境及びユーザ選好度に合わせて選択できるようにするターゲット情報を含むメタデータを記録したコンピュータで読み取り可能な記録媒体であって、
前記ターゲット情報が、前記放送コンテンツの消費環境を記述する情報であって、
ユーザ情報を記述する人名情報と、
端末情報を記述するターミナル情報と、
を含むことを特徴とするコンピュータで読み取り可能な記録媒体。
【請求項２３】
前記人名情報が、
ユーザの年齢を記述する年齢グループ情報と、
ユーザの家族構成員を記述する家族構成員情報と、
を含むことを特徴とする請求項２２に記載のコンピュータで読み取り可能な記録媒体。
【請求項２４】
前記家族構成員情報が、コントロールドタームタイプ（ＣｏｎｔｒｏｌｌｅｄＴｅｒｍＴｙｐｅ）によって記述されることを特徴とする請求項２３に記載のコンピュータで読み取り可能な記録媒体。
【請求項２５】
前記人名情報が、下記のようなＸＭＬ構文を含んで記述されることを特徴とする請求項２２に記載のコンピュータで読み取り可能な記録媒体。
<complexType name="BioGraphicInformationType">
<sequence>
<element name="Name" type="mpeg7:PersonNameType" minOccurs="0"/>
<element name="Language" type="tva2:LanguageType" minOccurs="0"/>
<element name="BirthDate" type="mpeg7:TimeType" minOccurs="0"/>
<element name="Age" type="mpeg7:unsigned8" minOccurs="0"/>
<element name="AgeGroup" type="tva2:AgeRangeType" minOccurs="0"/>
<element name="OtherFamilyMember" type="tva:ControlledTermType" minOccurs="0" 
maxOccurs="unbounded"/>
<element name="Gender" minOccurs="0">
【請求項２６】
前記ターミナル情報が、ストレージユニットの特徴を記述するストレージ情報を含むことを特徴とする請求項２２に記載のコンピュータで読み取り可能な記録媒体。
【請求項２７】
前記ストレージ情報が、ストレージタイプ（ＳｔｏｒａｇｅＴｙｐｅ）によって記述されることを特徴とする請求項２６に記載のコンピュータで読み取り可能な記録媒体。
【請求項２８】
前記家族構成員情報が、コントロールドタームタイプ（ＣｏｎｔｒｏｌｌｅｄＴｅｒｍＴｙｐｅ）によって記述されることを特徴とする請求項２０に記載のユーザ端末装置。
【請求項２９】
前記ストレージ情報が、ストレージタイプ（ＳｔｏｒａｇｅＴｙｐｅ）によって記述されることを特徴とする請求項２１に記載のユーザ端末装置。
【手続補正３】
【補正対象書類名】明細書
【補正対象項目名】００１４
【補正方法】変更
【補正の内容】
【００１４】
［課題を解決するための手段］
上記の目的を達成するための本発明は、パッケージを含む放送コンテンツが消費環境及びユーザ選好度に合わせて選択できるようにするターゲット情報を用いるカスタマイズされた放送サービス提供装置であって、前記放送コンテンツ及び前記ターゲット情報を含むメタデータをユーザ端末に公示して提供するコンテンツ提供手段と、前記ユーザ端末から受信した検索及び選択信号に相応するコンテンツ識別情報を提供するコンテンツ検索手段とを備え、前記ターゲット情報が、前記放送コンテンツの消費環境を記述する情報であって、ユーザ情報を記述する人名情報と、端末情報を記述するターミナル情報とを含むことを特徴とする。
【手続補正４】
【補正対象書類名】明細書
【補正対象項目名】００１５
【補正方法】変更
【補正の内容】
【００１５】
また、本発明は、パッケージを含む放送コンテンツが消費環境及びユーザ選好度に合わせて選択できるようにするターゲット情報を用いるカスタマイズされた放送サービス提供方法であって、前記放送コンテンツ及び前記ターゲット情報を含むメタデータをユーザ端末に公示する公示ステップと、前記ユーザ端末から受信した検索及び選択信号に相応するコンテンツ識別情報を提供するコンテンツ検索・選択ステップと、前記コンテンツ識別情報を用いて前記放送コンテンツの物理的位置を決めて位置情報を提供する位置決定ステップと、前記位置情報に基づいて前記放送コンテンツを提供するコンテンツ提供ステップとを含み、前記ターゲット情報が、前記放送コンテンツの消費環境を記述する情報であって、ユーザ情報を記述する人名情報と、端末情報を記述するターミナル情報と、を含むことを特徴とする。
【手続補正５】
【補正対象書類名】明細書
【補正対象項目名】００１６
【補正方法】変更
【補正の内容】
【００１６】
また、本発明は、ＡＶ番組及びパッケージを含む放送コンテンツが消費環境及びユーザ選好度に合わせて選択できるようにするターゲット情報を用いるユーザ端末装置であって、前記ターゲット情報を含むメタデータを用いて前記放送コンテンツを検索及び選択して獲得するユーザ相互作用部と、前記獲得した放送コンテンツ及びメタデータを格納して管理する格納装置管理部と、ユーザが視聴できるように前記放送コンテンツ及びメタデータを表出するコンテンツ出力部と、を備え、前記ターゲット情報が、前記放送コンテンツの消費環境を記述する情報であって、ユーザ情報を記述する人名情報と、端末情報を記述するターミナル情報と、を含むことを特徴とする。
【手続補正６】
【補正対象書類名】明細書
【補正対象項目名】００１７
【補正方法】変更
【補正の内容】
【００１７】
また、本発明は、パッケージを含む放送コンテンツが消費環境及びユーザ選好度に合わせて選択できるようにするターゲット情報を含むメタデータを記録したコンピュータで読み取り可能な記録媒体であって、前記ターゲット情報が、前記放送コンテンツの消費環境を記述する情報であって、ユーザ情報を記述する人名情報と、端末情報を記述するターミナル情報と、を含むことを特徴とする。
【手続補正７】
【補正対象書類名】明細書
【補正対象項目名】００１８
【補正方法】削除
【補正の内容】
【国際調査報告】
2008527836.tif 000008
2008527836.tif 000009
2008527836.tif 000010
2008527836.tif 000011